(57)【要約】【課題】  鉄筋コンクリート建築物における、スリーブ工事の危険な高所作業や作業工数の低減を図る貫通孔用スリーブ固定具を提供する。【解決手段】  各サイズのスリーブ１外径に適合する略皿形状の切削可能な薄板材の閉塞板２と、スリーブ１内径とほぼ等しい外径の底板４と該底板４中央に立設した中空の軸柱５と該軸柱５の頂部中心から前記底板４下まで固定釘８を貫通させ、前記軸柱５側面から放射状に前記底板４外縁まで複数枚のスリーブ１内径係止用突起壁６を立設し、該係止用突起壁６上端部を円弧状に形成した固定具３とから構成されており、最終的にコンクリート層には孔が形設されるが、孔底には閉塞板２が残るようにしたものである。【選択図】  図１
2019039169.tif 000002
【特許請求の範囲】
【請求項１】
鉄筋コンクリート建築物のパイプ床貫通箇所に使用するスリーブ固定具において、各サイズのスリーブ径に適合する略皿形状の切削可能な薄板材の閉塞板と、スリーブ内径とほぼ等しい外径の底板と該底板中央に立設した中空の軸柱と該軸柱の頂部中心から前記底板下まで固定釘を貫通させ、前記軸柱側面から前記底板外縁まで放射状に複数枚のスリーブ内径係止用突起壁を立設したことを特長とする貫通孔用スリーブ固定具。
【請求項２】
前記貫通孔用スリーブ固定具において、該固定具に放射状に立設された複数枚の前記係止用突起壁の隣接するそれぞれの空隙上部を一部覆うように天板を設け、前記係止用突起壁上面と前記軸柱上面とを一体化したことを特徴とする、請求項１に記載の貫通孔用スリーブ固定具。
【請求項３】
前記貫通孔用スリーブ固定具において、前記係止用突起壁を挟持する挟持溝を有する複数枚の拡幅用突起壁と、底面中央に前記底板外径に適合する嵌合孔を設け該嵌合孔外縁から該底面外縁まで複数枚の前記拡幅用突起壁の受け部を立設した拡径用底板とからなり、それぞれが各スリーブサイズに対応したことを特徴とする、請求項１乃至請求項２に記載の貫通孔用スリーブ固定具。
【発明の詳細な説明】
【技術分野】
【０００１】
本発明は、鉄筋コンクリート建築物床面のコンクリート打設前に施工する貫通孔用スリーブ固定具に関する。
【背景技術】
【０００２】
従来の鉄筋コンクリート（ＲＣ）建築物では、基礎や壁及び床を貫通する各種パイプの経路に、あらかじめ貫通孔を確保するためにスリーブ（紙筒）を型枠面に３〜４本の釘で固定し、スリーブの上面開口を養生テープ等で塞いでコンクリートの流入防止をしている。
通常、スリーブはインチ単位で製造されており、実際に挿通する配管径に余裕を考慮して、２サイズ（約５センチ）大きいスリーブが使用されている。
【０００３】
そのために、配管挿通後にはスリーブとの隙間を埋めるために上下階におよぶ孔埋作業が派生する。この作業は下階に組んだ足場や脚立の上での高所作業であり、孔埋用の当て板材としてベニヤ板や固形断熱材の中央部に配管径に適合する孔をあけて天井面に当て、落下防止を施してから上階からモルタルを流し込んでいるが、常に上向き姿勢で行う危険な作業でもあった。
【０００４】
大型建築物になるとスリーブの数は数百本・数千本にもなり、とくに配管設備では基礎の段階からスリーブ工事が伴い、床や壁の躯体工事の進捗に合わせてそのつど人手を取られる前段階的作業であるが、当該工事の成否に係わる重要な作業でもある。
これらは配管工事の迅速化とともに、後からコンクリート躯体に穿孔することで躯体の強度低下を招かないようにすることを目的として行われるものである。
床面貫通孔の閉塞具として、実開昭６０−１４７８８０号公報がある（例えば、特許文献１参照。）。
また、既存の天井孔埋用当て板材としては（商品名）Ａパットがある（例えば、非特許文献１。）。
【先行技術文献】
【特許文献】
【０００５】
【特許文献１】実開昭６０−１４７８８０号公報
【非特許文献】
【０００６】
【非特許文献１】株式会社アカギ、２０１７−６５  カタログ、３１９ページ
【発明の概要】
【発明が解決しようとする課題】
【０００７】
近年は施主側の意向が強く反映されることから、設計段階では細部の構想が未決定の場合も多く、また配管の施工直前の変更により、施工したスリーブが使用できずに新たな穿孔作業が生じる場合も多々あり、スリーブ施工の適否に係わらず床貫通孔の孔埋工事は増加傾向にあった。
当て板材に替わるものとしては種々の床用有底スリーブ受け具が開発されているが、それらは配管が挿通されることを前提にして考案されているために、有底と称しているが底面を全塞したものではなく、底面中央部には配管の挿通孔が設けられている。（例えば特許文献1）
【０００８】
特許文献１は、金属板の有底短円筒状のスリーブ受け具であり、従来の下階での当て板作業を省くために円筒部の下端内周に突片（環状片受け）を設け、配管挿通後に上階から隙間を塞ぐ２つ割の環状片を落とし込むものであり、当該スリーブが使用できることを前提とした発明である。
しかしながら、前述の理由から使用できないスリーブが増大しており、また特許文献１はスリーブ受け具が金属板製のために、受け具が半分ほどずれた場合には後処理が煩雑になる。
【０００９】
非特許文献１は、配管挿通位置の適否に関係なく後処理で対応するものとして開発され、方形のアルミ箔材の裏面に接着剤を塗布し、中央部には各配管径に適合する刻線が施されている。
従来の当て板材の加工や落下防止を施す手間、及び施工後の撤去が不要というメリットを有するが、天井面に貼り付けるために従来同様の上下階に及ぶ作業や足場の確保等には変わりなく、また、落下防止用接着剤も天井面が濡れていたり、埃や湿気が多い箇所では接着効果が薄れて充填したモルタルの自重で剥離するという問題があった。
【００１０】
つまり、特許文献１は、下階の天井の孔埋用当て板作業は省略できるものの、実際に使用できる場面は限られており、非特許文献１は、撤去作業も省略でき作業の迅速化は見込めるが、下階の足場の確保や、危険を伴う高所での孔埋用当て板作業は従来と同じである。
少子化による現場作業従事者の減少及び作業員の高齢化が進むなか、作業の省力化や危険作業への従事回避からも改善策が望まれていた。
本発明は、上記の問題を解決して作業工数の低減と危険作業の回避とを課題とする。
【課題を解決するための手段】
【００１１】
鉄筋コンクリート建築物のパイプ床貫通箇所に使用するスリーブ固定具において、各サイズのスリーブ径に適合する略皿形状の切削可能な薄板材の閉塞板と、スリーブ内径とほぼ等しい外径の底板と該底板中央に立設した中空の軸柱と該軸柱の頂部中心から前記底板下まで固定釘を貫通させ、前記軸柱側面から前記底板外縁まで放射状に複数枚のスリーブ内径係止用突起壁が立設され、該係止用突起壁上端部を円弧状に形成したことを特長としたものである。
【発明の効果】
【００１２】
型枠床面に敷設した略皿形状の切削可能な薄板材の閉塞板中央に固定具とスリーブ（紙筒）を載置し、略皿形状の閉塞板の傾斜した端部がコンクリートに埋設された状態で保持される。
従来は、配管径に余裕を持たせた大きめのスリーブで貫通孔を形設するために孔埋作業が伴うが、本発明は閉塞板を用いることでコンクリート固化後にスリーブと固定具とを撤去したさいに、床のコンクリート層には孔が形設されているが、孔底には切削可能な薄板材の閉塞板が残る。
【００１３】
当該スリーブの位置が許容範囲内のときは、上から引き回し鋸等で閉塞板に配管径に適合する孔をあけ、配管挿通後にそのまま上から隙間にモルタルを流しこみ、スリーブ位置の設定ミスや設計変更などで使用できない孔はそのままの状態で上階から埋戻しができる。
上記のことから、配管挿通後の孔埋作業に係わる諸々の工事の簡略化が図れる。
【００１４】
つまり、本発明はスリーブ工事の前段工程は同じでも、その後のスリーブと配管との隙間の当て板作業を省略でき、埋戻し作業も上階だけで処理できるので、下階での脚立やビデ足場の用意・片づけ及び撤去事後清掃等の付帯作業も省けるので大幅な作業工数の低減につながる。
さらに従来のスリーブ固定用の多量の釘は不要になり、また固定具本体は繰り返し再使用ができるものである。
【図面の簡単な説明】
【００１５】
【図１】本発明の一実施例の分割斜視図
【図２】本発明の一実施例の使用時における一部切欠き断面図
【図３】本発明の配管施工後の断面図
【図４】本発明の変形態様による一実施例の斜視図
【図５】本発明の変形態様による一実施例の斜視図
【図６】本発明の請求項２の一実施例の斜視図
【図７】本発明の請求項３の一実施例の分割斜視図
【発明を実施するための形態】
【００１６】
本発明は、鉄筋コンクリート建設におけるパイプ貫通作業において、少子化に伴う現場作業員の減少や作業員の高年齢化問題から、天井の貫通孔の隙間埋戻し作業の簡略化と危険な高所作業を減らし、作業の効率化と現場災害の低減を図ることを目的としたパイプ床貫通箇所に使用するスリーブ固定具であって、各サイズのスリーブ外径に適合する略皿形状の切削可能な薄板材の閉塞板と、スリーブ内径とほぼ等しい外径の底板と該底板中央に立設した中空の軸柱と該軸柱の頂部中心から前記底板下まで固定釘を貫通させ、前記軸柱側面から前記底板外縁まで放射状に複数枚のスリーブ内径係止用突起壁が立設され、該係止用突起壁上端部を円弧状に形成しスリーブに挿入しやすくした構造となっている。
【実施例】
【００１７】
以下に各図面を基に説明する。
図１は、本発明の一実施例の分割斜視図である。
消耗品となる閉塞板２の中央に載置された繰り返し再使用できる固定具３を、固定釘８により型枠１０の所定位置に固定し、該固定具３の係止用突起壁６外縁に圧接する前記スリーブ１を被嵌し、該スリーブ１の上面開口部を養生テープ９等で塞いでコンクリートの流入を防止するものである。
【００１８】
従来のスリーブ工法との相違は、各スリーブのサイズごとに用意された、スリーブ１の下に敷く略皿形状の切削可能な薄板材の閉塞板２と固定具３にある。
本実施例では、閉塞板２にアルミ箔材を用い、樹脂で製作した固定具３の係止用突起壁６は対向する４枚とし、それぞれ対向する係止用突起壁６の外縁間寸法は適合するスリーブ１の内径とほぼ同じく形設され、その上端部はスリーブ１が被嵌しやすいように円弧状に形成されている。
スリーブ１を被嵌する際には、それぞれの係止用突起壁６がスリーブ１の内壁に押しつけられる状態で圧設し、底板４はスリーブ１に内包される。
つまり、本発明は固定具３を介して、略皿形状で全塞の閉塞板２とスリーブ１とを同時に固定するものである。
【００１９】
固定釘８の頂部を叩いて型枠１０に固定するが、固定釘８は中空の軸柱５頂部から底板４下まで貫通された中央の１本だけなので、解体時に型枠１０が剥離しやすく閉塞板２の破損を防げる。
また本実施例の底板４は円形状であるが、前記各係止用突起壁６の外端部を結ぶ方形状や、その方形４辺の中央部を軸柱５方向に湾曲凹部を設けた形状でも良い。（図４参照）
【００２０】
図２は、本発明の一実施例の使用時における一部切欠き断面図である。
型枠１０床面の所定位置に敷設された略皿形状の切削可能な薄板材の閉塞板２中央に載置した固定具３を、固定釘８で型枠１０に固定し、該固定具３の係止用突起壁６外縁に圧設するスリーブ１を被嵌して、スリーブ１の上面開口を養生テープ９等で塞いでコンクリートの流入を防ぐ。
【００２１】
図３は、本発明の配管施工後の断面図である。
コンクリート１１の固化後にスリーブ１と固定具３を撤去した際には、コンクリート１１層には孔が形設されているが、孔底には切削可能な薄板材の閉塞板２が残る。
挿通する配管１２に適合する孔を、引き回し鋸等で上から閉塞板２を切り抜き、配管１２を挿通したのち隙間をそのままモルタル１３で埋め戻す。
また不要になった孔も同様にそのまま上からモルタル１３で埋め戻す。
【００２２】
図４及び図５は、本発明の変形態様による一実施例の斜視図である。
本発明の固定具３の底板４形状は、敷設した全塞の閉塞板２の大部分を押さえつけて固定するのが目的であり、その目的を損なわない程度に一部分を切り抜いたり切り欠くことで、固定具３の軽量化や材料減によるコスト削減を目指したものである。
【００２３】
図６は、本発明の請求項２の一実施例の斜視図である。
本発明の、固定具３に立設された各係止用突起壁６が隣接する空隙上部を一部覆うように天板７を設け、各係止用突起壁６の上部と軸柱５上部とを天板７と一体化したものである。
本実施例では、天板７は前記係止用突起壁６上端面を限度に、各係止用突起壁６上端部の円弧手前までの範囲で形設されており、天板７の各辺部中央は軸柱５に向かって略湾曲凹部に形設されている。
【００２４】
これは、天板７による各係止用突起壁６の折損防止のための補強目的とともに、スリーブ１を撤去する際には先に固定具３を取り外す必要があることから、スリーブ１内に手を入れた時に天板７の略湾曲凹部に指を入れて握持しやすい形状としたものである。
【００２５】
図７は、本発明の請求項３の一実施例の分割斜視図である。
通常のスリーブ（紙筒）は１インチ単位（約２５ミリ）で構成されており、図７では、例えば１００ミリ用の固定具３を使用基準において説明する。
各サイズのスリーブ内径にほぼ等しい外径になるように形成された拡径用底板１４中央の嵌合孔１６に固定具３を嵌合し、当該スリーブに適合する複数枚の拡幅用突起壁１５の挟持溝１７に各係止用突起壁６を挟持させ、同時に拡径用底板１４の受け部１８に前記拡幅用突起壁１５をはめ込む。
つまり、製造コスト等の削減目的上からも、基準となる固定具３と組み合わせることでサイズの大きなスリーブに対応するものである。
【産業上の利用可能性】
【００２６】
建築現場においては、現場作業従事者の減少や作業員の高齢化が進むなか、作業員の確保自体がむずかしくなり、確保できても高所作業や危険作業の従事等で制約されることが多かった。
本発明は、鉄筋コンクリート（ＲＣ）建築物のスリーブ工事における、危険な高所作業や作業工数の低減、及び省資源化を図るとともに高年齢化対策にも貢献するものである。
【符号の説明】
【００２７】
１    スリーブ（既存品）
２    閉塞板
３    固定具
４    底板
５    軸柱
６    係止用突起壁
７    天板
８    固定釘
９    養生テープ（既存品）
１０  型枠
１１  コンクリート
１２  配管
１３  モルタル
１４  拡径用底板
１５  拡幅用突起壁
１６  嵌合孔
１７  挟持溝
１８  受け部
【図１】
2019039169.tif 000003
【図２】
2019039169.tif 000004
【図３】
2019039169.tif 000005
【図４】
2019039169.tif 000006
【図５】
2019039169.tif 000007
【図６】
2019039169.tif 000008
【図７】
2019039169.tif 000009
【手続補正書】
【提出日】平成29年9月8日(2017.9.8)
【手続補正１】
【補正対象書類名】特許請求の範囲
【補正対象項目名】請求項２
【補正方法】変更
【補正の内容】
【請求項２】
前記貫通孔用スリーブ固定具において、前記固定具の前記底板に放射状に立設された複数枚の前記係止用突起壁の隣接するそれぞれの空隙上部を覆うように天板を設け、前記係止用突起壁上面と前記軸柱上面とを一体化したことを特徴とする、請求項１に記載の貫通孔用スリーブ固定具。
【手続補正２】
【補正対象書類名】特許請求の範囲
【補正対象項目名】請求項３
【補正方法】変更
【補正の内容】
【請求項３】
前記貫通孔用スリーブ固定具において、前記係止用突起壁を挟持する挟持溝を有する複数枚の拡幅用突起壁と、底面中央に前記底板外径に適合する嵌合孔を設け該嵌合孔外縁から前記底面外縁まで複数枚の前記拡幅用突起壁の受け部を立設した拡径用底板とからなり、前記拡幅用突起壁及び前記拡径用底板のそれぞれが各スリーブサイズに対応したことを特徴とする、請求項１乃至請求項２に記載の貫通孔用スリーブ固定具。
【手続補正３】
【補正対象書類名】明細書
【補正対象項目名】００２３
【補正方法】変更
【補正の内容】
【００２３】図６は、本発明の請求項２の一実施例の斜視図である。
本発明の、固定具３に立設された各係止用突起壁６が隣接する空隙上部を覆うように天板７を設け、各係止用突起壁６の上部と軸柱５上部とを天板７と一体化したものである。
本実施例では、天板７は係止用突起壁６上端面を限度に、各係止用突起壁６上端部の円弧手前までの範囲で形設されており、天板７の各辺部中央は軸柱５に向かって略湾曲凹部状に形設されている。
【手続補正書】
【提出日】平成29年11月17日(2017.11.17)
【手続補正１】
【補正対象書類名】特許請求の範囲
【補正対象項目名】請求項１
【補正方法】変更
【補正の内容】
【請求項１】
鉄筋コンクリート建築物のパイプ床貫通箇所に使用するスリーブ固定具において、各サイズのスリーブ径に適合する略皿形状の切削可能な薄板材の閉塞板と、スリーブ内径とほぼ等しい外径の底板と該底板中央に立設した中空の軸柱と該軸柱の頂部中心から前記底板下まで固定釘を貫通させ、前記軸柱側面から前記底板外縁まで放射状に複数枚のスリーブ内径係止用突起壁を立設した固定具とからなる、貫通孔用スリーブ固定具。
【手続補正２】
【補正対象書類名】特許請求の範囲
【補正対象項目名】請求項２
【補正方法】変更
【補正の内容】
【請求項２】
前記貫通孔用スリーブ固定具において、前記固定具の前記底板に放射状に立設された複数枚の前記係止用突起壁の隣接するそれぞれの空隙上部を一部覆うように天板を設け、前記係止用突起壁上面と前記軸柱上面とを一体化したことを特徴とする、請求項１に記載の貫通孔用スリーブ固定具。
【手続補正３】
【補正対象書類名】明細書
【補正対象項目名】００１１
【補正方法】変更
【補正の内容】
【００１１】  鉄筋コンクリート建築物のパイプ床貫通箇所に使用するスリーブ固定具において、各サイズのスリーブ径に適合する略皿形状の切削可能な薄板材の閉塞板と、スリーブ内径とほぼ等しい外径の底板と該底板中央に立設した中空の軸柱と該軸柱の頂部中心から前記底板下まで固定釘を貫通させ、前記軸柱側面から前記底板外縁まで放射状に複数枚のスリーブ内径係止用突起壁が立設され、該係止用突起壁上端部を円弧状に形成したことを特徴としたものである。
【手続補正４】
【補正対象書類名】明細書
【補正対象項目名】００１８
【補正方法】変更
【補正の内容】
【００１８】  従来のスリーブ工法との相違は、各スリーブのサイズごとに用意された、スリーブ１の下に敷く略皿形状の切削可能な薄板材の閉塞板２と固定具３にある。
本実施例では、閉塞板２にアルミ箔材を用い、樹脂で製作した固定具３の係止用突起壁６は対向する４枚とし、それぞれ対向する係止用突起壁６の外縁間寸法は適合するスリーブ１の内径とほぼ同じく形設され、その上端部はスリーブ１が被嵌しやすいように円弧状に形成されている。
スリーブ１を被嵌する際には、それぞれの係止用突起壁６がスリーブ１の内壁に押しつけられる状態で圧接し、底板４はスリーブ１に内包される。
つまり、本発明は固定具３を介して、略皿形状で全塞の閉塞板２とスリーブ１とを同時に固定するものである。
【手続補正５】
【補正対象書類名】明細書
【補正対象項目名】００２３
【補正方法】変更
【補正の内容】
【００２３】図６は、本発明の請求項２の一実施例の斜視図である。
本発明の、固定具３に立設された各係止用突起壁６が隣接する空隙上部を一部覆うように天板７を設け、各係止用突起壁６の上部と軸柱５上部とを天板７と一体化したものである。
実施例では、天板７は係止用突起壁６上端面を限度に、各係止用突起壁６上端部の円弧手前までの範囲で形設されており、天板７の各辺部中央は軸柱５に向かって略湾曲凹部に形設されている。